【手続補正書】
【提出日】平成17年8月1日(2005.8.1)
【手続補正１】
【補正対象書類名】明細書
【補正対象項目名】特許請求の範囲
【補正方法】変更
【補正の内容】
【特許請求の範囲】
【請求項１】
可変形状鏡を具備し、前記可変形状鏡により光軸を折り曲げ、被写体像を撮像面に結像させる光学系において、
ズーム状態と被写体までの距離とを入力情報とし、前記ズーム状態及び前記被写体までの距離に対応する、前記可変形状鏡へ印加する電圧又は供給する電流の値を出力情報として格納した２次元ルックアップテーブル（ＬＵＴ）を有し、
撮像時に、前記２次元ＬＵＴを順次走査し、得られた出力情報に基づいて、前記可変形状鏡へ印加する電圧又は供給する電流の値を変化させて、結像画像の鮮鋭度を判定し、結像画像の鮮鋭度が最良となるときの前記２次元ＬＵＴの出力情報を、前記可変形状鏡へ印加する電圧又は供給する電流の値として決定するようにしたことを特徴とする光学系。
【請求項２】
可変形状鏡を具備し、前記可変形状鏡により光軸を折り曲げ、被写体像を撮像面に結像させる光学系において、
ズーム状態と被写体までの距離とを入力情報とし、前記ズーム状態及び前記被写体までの距離に対応する、前記可変形状鏡へ印加する電圧又は供給する電流の値を出力情報として格納した２次元ルックアップテーブル（ＬＵＴ）を有し、
撮像時に、前記ズーム状態と前記被写体までの距離のいずれもが検出可能な場合、前記ズーム状態と前記被写体までの距離を固定して前記２次元ＬＵＴを入力し、得られた出力情報を前記可変形状鏡へ印加する電圧又は供給する電流の値として決定するようにしたことを特徴とする光学系。
【請求項３】
可変焦点レンズを具備し、被写体像を撮像面に結像させる光学系において、ズーム状態と被写体までの距離とを入力情報とし、前記ズーム状態及び前記被写体までの距離に対応する、前記可変焦点レンズへ印加する電圧又は供給する電流の値を出力情報として格納した２次元ルックアップテーブル（ＬＵＴ）を有し、撮像時に、前記２次元ＬＵＴを順次走査し、得られた出力情報に基づいて、前記可変焦点レンズへ印加する電圧又は供給する電流の値を変化させて、結像画像の鮮鋭度を判定し、結像画像の鮮鋭度が最良となるときの前記２次元ＬＵＴの出力情報を、前記可変焦点レンズへ印加する電圧又は供給する電流の値として決定するようにしたことを特徴とする光学系。
【請求項４】
可変焦点レンズを具備し、被写体像を撮像面に結像させる光学系において、ズーム状態と被写体までの距離とを入力情報とし、前記ズーム状態及び前記被写体までの距離に対応する、前記可変焦点レンズへ印加する電圧又は供給する電流の値を出力情報として格納した２次元ルックアップテーブル（ＬＵＴ）を有し、撮像時に、前記ズーム状態と前記被写体までの距離のいずれもが検出可能な場合、前記ズーム状態と前記被写体までの距離を固定して前記２次元ＬＵＴを入力し、得られた出力情報を前記可変焦点レンズへ印加する電圧又は供給する電流の値として決定するようにしたことを特徴とする光学系。
【請求項５】
光学素子と可変焦点レンズを具備し、前記可変焦点レンズにより被写体像を撮像面に結像させる光学系において、被写体までの距離を入力情報とし、前記被写体までの距離に対応する、前記可変焦点レンズへ印加する電圧又は供給する電流の値を出力情報として格納した１次元ルックアップテーブル（ＬＵＴ）を有し、撮像時に、前記１次元ＬＵＴを順次走査し、得られた出力情報に基づいて、前記可変焦点レンズへ印加する電圧又は供給する電流の値を変化させて、結像画像の鮮鋭度を判定し、結像画像の鮮鋭度が最良となるときの前記１次元ＬＵＴの出力情報を、前記可変焦点レンズへ印加する電圧又は供給する電流の値として決定するようにしたことを特徴とする光学系。
【請求項６】
光学素子と可変焦点レンズを具備し、前記可変焦点レンズにより被写体像を撮像面に結像させる光学系において、被写体までの距離を入力情報とし、前記被写体までの距離に対応する、前記可変焦点レンズへ印加する電圧又は供給する電流の値を出力情報として格納した１次元ルックアップテーブル（ＬＵＴ）を有し、撮像時に、前記被写体までの距離が検出可能な場合、前記被写体までの距離をキーとして前記１次元ＬＵＴを入力し、得られた出力情報を前記可変焦点レンズへ印加する電圧又は供給する電流の値として決定するようにしたことを特徴とする光学系。
【請求項７】
物体距離の変化、あるいはズーミングによって生ずるピントのずれ量をキーとして作成された１次元ＬＵＴを走査し、画像の鮮鋭度が最大になる状態をもって可変形状鏡又は可変焦点レンズの形を決定するようにしたことを特徴とする光学系。
【手続補正２】
【補正対象書類名】明細書
【補正対象項目名】０００５
【補正方法】変更
【補正の内容】
【０００５】
また、本発明による光学系は、可変形状鏡を具備し、前記可変形状鏡により光軸を折り曲げ、被写体像を撮像面に結像させる光学系において、ズーム状態と被写体までの距離とを入力情報とし、前記ズーム状態及び前記被写体までの距離に対応する、前記可変形状鏡へ印加する電圧又は供給する電流の値を出力情報として格納した２次元ルックアップテーブル（ＬＵＴ）を有し、撮像時に、前記ズーム状態と前記被写体までの距離のいずれもが検出可能な場合、前記ズーム状態と前記被写体までの距離を固定して前記２次元ＬＵＴを入力し、得られた出力情報を前記可変形状鏡へ印加する電圧又は供給する電流の値として決定するようにしたことを特徴とする。
【手続補正３】
【補正対象書類名】明細書
【補正対象項目名】０００６
【補正方法】変更
【補正の内容】
【０００６】
また、本発明による光学系は、可変焦点レンズを具備し、被写体像を撮像面に結像させる光学系において、ズーム状態と被写体までの距離とを入力情報とし、前記ズーム状態及び前記被写体までの距離に対応する、前記可変焦点レンズへ印加する電圧又は供給する電流の値を出力情報として格納した２次元ルックアップテーブル（ＬＵＴ）を有し、撮像時に、前記２次元ＬＵＴを順次走査し、得られた出力情報に基づいて、前記可変焦点レンズへ印加する電圧又は供給する電流の値を変化させて、結像画像の鮮鋭度を判定し、結像画像の鮮鋭度が最良となるときの前記２次元ＬＵＴの出力情報を、前記可変焦点レンズへ印加する電圧又は供給する電流の値として決定するようにしたことを特徴とする。
また、本発明による光学系は、可変焦点レンズを具備し、被写体像を撮像面に結像させる光学系において、ズーム状態と被写体までの距離とを入力情報とし、前記ズーム状態及び前記被写体までの距離に対応する、前記可変焦点レンズへ印加する電圧又は供給する電流の値を出力情報として格納した２次元ルックアップテーブル（ＬＵＴ）を有し、撮像時に、前記ズーム状態と前記被写体までの距離のいずれもが検出可能な場合、前記ズーム状態と前記被写体までの距離を固定して前記２次元ＬＵＴを入力し、得られた出力情報を前記可変焦点レンズへ印加する電圧又は供給する電流の値として決定するようにしたことを特徴とする。
また、本発明による光学系は、光学素子と可変焦点レンズを具備し、前記可変焦点レンズにより被写体像を撮像面に結像させる光学系において、被写体までの距離を入力情報とし、前記被写体までの距離に対応する、前記可変焦点レンズへ印加する電圧又は供給する電流の値を出力情報として格納した１次元ルックアップテーブル（ＬＵＴ）を有し、撮像時に、前記１次元ＬＵＴを順次走査し、得られた出力情報に基づいて、前記可変焦点レンズへ印加する電圧又は供給する電流の値を変化させて、結像画像の鮮鋭度を判定し、結像画像の鮮鋭度が最良となるときの前記１次元ＬＵＴの出力情報を、前記可変焦点レンズへ印加する電圧又は供給する電流の値として決定するようにしたことを特徴とする。
また、本発明による光学系は、光学素子と可変焦点レンズを具備し、前記可変焦点レンズにより被写体像を撮像面に結像させる光学系において、被写体までの距離を入力情報とし、前記被写体までの距離に対応する、前記可変焦点レンズへ印加する電圧又は供給する電流の値を出力情報として格納した１次元ルックアップテーブル（ＬＵＴ）を有し、撮像時に、前記被写体までの距離が検出可能な場合、前記被写体までの距離をキーとして前記１次元ＬＵＴを入力し、得られた出力情報を前記可変焦点レンズへ印加する電圧又は供給する電流の値として決定するようにしたことを特徴とする。
更に、本発明による光学系は、物体距離の変化、あるいはズーミングによって生ずるピントのずれ量をキーとして作成された１次元ＬＵＴを走査し、画像の鮮鋭度が最大になる状態をもって可変形状鏡又は可変焦点レンズの形を決定するようにしたことを特徴とする。